(57)【要約】      （修正有）【課題】使用し易く、携行に便利なニアピンスケールを提供する。【解決手段】ゴルフピン１７に引っ掛けるフック１１に線材２の一端が固定されている。線材２は穴３ｂから筐体３に入り制動装置７で加圧されている。線材２は滑車５に巻き掛けられて次に巻取りドラム４に他端側が固定されて巻取りドラム４に捲回されている。巻取りドラム４はぜんまいばねで巻取り方向に付勢されている。ゴルフピン１７にフック１１を掛けて線材２を引き出すと滑車５が回転してエンコーダ６の得た信号は演算装置８に入力されて線材２の引き出し長さが演算され表示器に表示される。【選択図】図３
0003142379.tif 000002
【実用新案登録請求の範囲】
【請求項１】
筐体から出入可能に筐体内に収容された可撓性条材を有するニアピンスケールにおいて、
可撓性条材が線材であって、一端側が筐体から出入可能で他端側が筐体内の巻取りドラムに巻き取られる線材と、
線材を巻き取る巻取りドラムと、
巻取りドラムの線材を巻き取る方向の回転手段と、
巻取りドラムから巻き出された線材を巻き掛けられた滑車と、
滑車と連動回転するエンコーダと、
巻き掛けられた滑車から筐体外に引き出される線材を加圧する制動部材と、
エンコーダの信号を入力されて滑車の回転角を入力して線材の筐体からの引き出し長さを演算する演算装置と、
演算装置で演算された線材の筐体からの引き出し長さを表示する表示器と、
前記各部材を備えた筐体と、
線材の一端に設けられゴルフピンに係脱可能なフックと、
を有することを特徴とするニアピンスケール。
【請求項２】
巻取りドラムの回転手段が巻取りドラムと連動するぜんまいばねである請求項１に記載のニアピンスケール。
【請求項３】
巻取りドラムの回転手段が巻取りドラムと連動するハンドルである請求項１に記載のニアピンスケール。
【考案の詳細な説明】
【技術分野】
【０００１】
この考案は、フラグの立てられたホールの位置とニアピンとなったゴルフボール間の距離を計測する計測器であるニアピンスケールに関する。
【背景技術】
【０００２】
１．ゴルフ親睦会（所謂ゴルフコンペ）において行われるニアピン賞該当ホールにおいては、通常、一番ピンに近くにＯＮした人の印として、市販のニアピンフラッグが使用されていますが、先行組の中で既にかなりピンに近い所にフラッグが立てられていた場合、後続組はメンタル的にもチャンスが少なく感じてしまうため、楽しみが薄らいでしまう事が多々あります。「ニアピンスケール」を使用する事により、平等性が増し、プレイヤーのニアピン賞への期待が高まる。
【０００３】
２．大人数でのコンペの場合、ＯＵＴ、ＩＮ同時のスタートで開催されることが常ですが、貸切でない場合（後続に一般の客がプレイする場合がある）、ニアピンフラッグを立てたままにできないため、ＯＵＴ、ＩＮ、各々にニアピン賞を設けないといけないという幹事泣かせのケースが生じてしまいます。この「ニアピンスケール」を使用する事により、その問題は解消される。
【０００４】
３．セルフプレイが多い昨今、同伴プレイヤー内でニアピン賞を設けていた時に、微妙な距離に数名がＯＮしていた場合、未だに判定するのに歩測したり、ピンフラッグを使用していたりするので、計測が曖昧な事が多く、結局後味が悪いという経験をした人が多いと思います。この「ニアピンスケール」で問題解消。フェアな判定に誰もが納得いく事になる。
【０００５】
４．プレイヤーがグリーン周辺にある深く高さのあるバンカー内にボールを落とした時、ピン方向が見えない場合があります。通常同伴プレイヤーに方向の指示を仰ぎますが、この「ニアピンスケール」を使用すれば、ピンの方向が自分で判断できるようになる。
【０００６】
実用新案登録文献１にはゴルフピン（旗竿）を立てたホールカップ縁からグリーン上にオンしたゴルフボール迄のニアピン距離を正確で且つ迅速に計測し、併せてゴルフ用としてアピールできるゴルフ用ニアピンメジャーを得るために、
ゼンマイバネによりスケールを巻き取れるようにした巻尺のケースに、ゴルフピンを貫通できるように縦穴を穿設し、該縦穴をゴルフピンに回転可能に掛けて、スケールの先端部を引き出してグリーン上にオンしたゴルフボールの位置でスケールの先端部に装着された止めピンを差し込んで止め、ホールカップ縁からゴルフボール迄のニアピン距離を計測するようにしたゴルフ用ニアピンメジャー（以下、従来例という）が開示されている。
【特許文献１】登録実用新案第３０６２３９７号
【考案の開示】
【考案が解決しようとする課題】
【０００７】
従来例によればホールからゴルフピンを抜きケースに穿設した縦穴にゴルフピンを通した後に、ゴルフピンをホールに挿入する。次にスケールを引き出す。計測後は、ゴルフピンをホールから抜く。次にゴルフピンからケースを抜く。スケールをケースに戻し入れる。更にゴルフピンをホールに挿入するという手順が必要で、ゴルフピンを２回ホールに抜き差し、スケールに１回抜き差しする必要がある。
【０００８】
ニアピンの場合のゴルフピンからグリーン上にオンしたゴルフボール迄のニアピン距離は２０ｍを越えることがある。帯状のスケールは金属製又は強化布製が知られている。２０ｍの長さの帯状のスケールを捲回すると直径が大きく携行に不適当となる。
【０００９】
この考案はニアピンの計測時にゴルフピンをホールから抜く必要のないニアピンスケールを提供することを目的とする。
【００１０】
この考案は携行に便利な大きさにまとめ得るニアピンスケールを提供することを目的とする。
【課題を解決するための手段】
【００１１】
この考案に係る第１の考案は筐体から出入可能に筐体内に収容された可撓性条材を有するニアピンスケールにおいて、
可撓性条材が線材であって、一端側が筐体から出入可能で他端側が筐体内の巻取りドラムに巻き取られる線材と、
線材を巻き取る巻取りドラムと、
巻取りドラムの線材を巻き取る方向の回転手段と、
巻取りドラムから巻き出された線材を巻き掛けられた滑車と、
滑車と連動回転するエンコーダと、
巻き掛けられた滑車から筐体外に引き出される線材を加圧する制動部材と、
エンコーダの信号を入力されて滑車の回転角を入力して線材の筐体からの引き出し長さを演算する演算装置と、
演算装置で演算された線材の筐体からの引き出し長さを表示する表示器と、
前記各部材を備えた筐体と、
線材の一端に設けられゴルフピンに係脱可能なフックと、
を有することを特徴とするニアピンスケールである。
【００１２】
この考案に係る第２の考案は巻取りドラムの回転手段が巻取りドラムと連動するぜんまいばねである第１の考案に記載のニアピンスケールである。
巻取りドラムの回転手段が巻取りドラムと連動するぜんまいばねである第１の考案に記載のニアピンスケールである。
【００１３】
この考案に係る第３の考案は巻取りドラムの回転手段が巻取りドラムと連動するハンドルである第１の考案に記載のニアピンスケールである。
【考案の効果】
【００１４】
フックを立ったままのゴルフピンに引っ掛けて筐体を持ってグリーンにオンしたゴルフボールの位置まで移動し、筐体をゴルフボールに合せるだけであるので使用が到って簡単である。また、線条を用いているのでニアピンスケール全体を小さくまとめることが可能である。
【実施例】
【００１５】
以下、この考案の実施例を図面を用いて説明する。
【００１６】
（実施例１）
図１、図２はこの考案の実施例のニアピンスケールの全体の外観を示す側面図である。図３は図１の紙面に平行な断面を示す。
【００１７】
（全体構成）
図３に示すように全体を符号１で示すニアピンスケールは一端２ａ側が筐体３から出入可能に筐体３に収容された可撓性条材として線材２を有する。線材２の他端側は巻取りドラム４に巻き取られている。巻取りドラム４の線材２を巻き取る方向の回転手段（後述）を有する。巻取りドラム４から巻き出された線材を巻き掛けられた滑車５が設けてある。滑車５と連動回転するエンコーダ６が設けてある。巻き掛けられた滑車５から筐体３外に引き出される線材２を加圧する制動部材７が設けてある。
【００１８】
後述するようにエンコーダ６の信号を入力されて滑車５の回転角を入力して線材２の筐体３からの引き出し長さを演算する演算装置８が設けてある。
【００１９】
図１、図２に示すように演算装置８で演算された線材２の筐体３からの引き出し長さを表示する表示器９が筐体３の側面に見えるように配設されている。
【００２０】
上記各部材、即ち、線材２、巻取りドラム４、巻取りドラム４の回転手段、滑車５、エンコーダ６、制動部材７、演算装置８は筐体３に備えられている。
【００２１】
線材２の一端にはゴルフピン１７に係脱可能なフック１１が設けてある。
【００２２】
（線材）
線材２は例えばピアノ線、測量用の撚糸に樹脂含滲を行ったもの、延びの小さな合成樹脂単糸例えばナイロン糸等で直径０．３ｍｍ程度のものが用いられる。線材２の一端２ａはフック１１に固定され、他端は巻取りドラム４の外周に固定されている。
【００２３】
（巻取りドラム）
巻取りドラム４はつば付（図３ではつばを図略）してある。巻取りドラム４は中空直方体（図３の紙面に平行な分割面で二つ割り）の筐体３内に有る。巻取りドラム４は筐体３に両端支持された固定軸１２に支持されている。
【００２４】
（巻取りドラムの線材を巻き取る方向の回転手段）
図３、図４に示すように巻取りドラム４には一体的に小歯車４ａが設けてある。小歯車４ａと噛み合う大歯車１５は筐体３に両端支持され非回転になるように固定された固定軸１６に回転自在に嵌合している。
【００２５】
固定軸１６に一端が係止されたぜんまいばね１３の他端はばね掛けピン１４に係止されている。ばね掛けピン１４は大歯車１５の側面に植設されている（植設部分は図示されない）。
【００２６】
（滑車）
図３に示すように巻取りドラム４から巻き出された線材２を巻き掛けられた滑車５がエンコーダ６の回転軸６ａに固定されている。滑車５への線材２の巻き掛ける角度は３６０度以上である。線材２の滑車５への巻き掛ける角度は線材２が滑車５上で実質滑りが生じない程度に２〜３回滑車５に捲回するのがよい。
【００２７】
（エンコーダ）
滑車５と連動するエンコーダ６が設けてある。本例では上述のように滑車５をエンコーダ６の回転軸に直結してある。エンコーダ６は筐体３に固定され、その出力は演算装置８に入力される。
【００２８】
（制動部材）
制動部材７は筐体３に固定されたシュー７ａと先端がシュー７ａ上の線材２を圧する板ばね７ｂを有する。板ばね７ｂの根本は筐体３に設けたスリット３ａに嵌入支持されている。シュー７ａの線材２と摺動する面は超硬合金又はチタン合金等の耐磨耗性材料で被覆されている。
【００２９】
（演算装置）
演算装置８は筐体３内に設けられる。図５に示すように演算装置８は主としてＣＰＵ８０を有する。ＣＰＵ８０へはエンコーダ６からの信号が入力される。ＣＰＵ８０は該信号を処理して滑車５の回転角から線材２が滑車５の外周の移動に従って移動した長さを求める。この長さは線材２が筐体３から引き出された長さに等しい。ＣＰＵ８０はこの長さをドライバ９ａを介して表示器９に出力する。
【００３０】
ＣＰＵ８０を指示する制御スイッチＳＷ１，ＳＷ２，ＳＷ３が備えてある。リセットスイッチＳＷ１を閉じると演算装置８の内容は初期値となる。ホルドスイッチＳＷ２を押すと、そのときの線材２の筐体３からの引き出し長さがＣＰＵ８０からメモリ８１に測定値として記録されると共に表示器９へ出力されて表示されている。スイッチＳＷ３を１回押すと、直前の測定値が表示器９に表示される。２回押すと前々回の測定値が表示器９に表示される。リセットスイッチＳＷ１を押した後にスイッチＳＷ３を押すと最後の測定値が表示器９に表示される。これらは、スイッチＳＷ３が押されることにより各測定値を記憶してあるメモリ８１からＣＰＵ８０が呼び出して表示器９に示すものである。
【００３１】
図示されないがエンコーダ６、演算装置８の駆動源としての電池が筐体３に取り替え可能に装着してある。
【００３２】
（表示器）
表示器９は例えば液晶デイスプレイである。
【００３３】
（フック）
図３、図４に示すようにフック１１はゴルフピン１７のピン部の直径よりも口部の幅Ｗが大である。フック１１の根本１１ａは中空円筒形である。フック１１の根本１１ａの線材２の張っている方向の穴に線材２の一端２ａが接着剤を介して差込まれ、フック１１と線材２は固定されている。フック１１が金属製の場合は根本の穴に線材２の一端を挿入した後にかしめてもよい。
【００３４】
（筐体）
筐体３は例えば耐衝撃性ポリスチレン（ＨＩＰＳ）成形品として製作される。筐体３は図１から図４の紙面に平行な平面を分割面とする二つ割り又は一方が箱で箱の開放側を平板で蓋をしてなる２部材からなり、２部材をねじ止め又は嵌着して固定してある。筐体３は中空直方体である。筐体３には線材２が出入りするための小穴３ｂ、スイッチＳＷ１，ＳＷ２，ＳＷ３の押ボタンを筐体３の外部へ出すための穴３ｃ（３個あるが代表して１個のスイッチでＳＷで表わす）を有する。
【００３５】
ここで、小穴３ｂは滑車５の切線上に中心がある円穴である。この小穴３ｂにはフック１１の根本１１ａが進入可能となっている。
【００３６】
図３、図７（筐体３の図３における左端面を示す）に示すように筐体３の基準面３ｄとなる端面には凹部３ｉが設けてある。図７に示すように凹部３ｉの基準面３ｄにおける縁３ｊの形状は楕円形である。そして短径側は凹部３ｉの底においては離心率は大きくなりフック１１を構成する断面円形の線条部材の直径よりもわずかに大きい程度の短径である。基準面３ｄにおける楕円形の短径はフック１７の外径Ｄよりも図示程度小さく、長径は該外径Ｄよりも大であり、図３においてフック１７の外周の根本１１ａ付近は凹部３ｉの底で小穴３ｂの縁に当っている。フック１７が凹部３ｉに収容された状態では、フック１７の内周１７ｂと基準面３ｄの距離ｄはゴルフピン１７の半径と等しくなっている。
【００３７】
（作用）
図１に示すようにフック１１が凹部３ｉに収納された状態でリセットボタンＳＷ１を押すと、ＣＰＵ８０はドライバ９ａを介して表示器９に基準値を表示する。基準値とは線材２が筐体３に引き込まれ、フック１１の根本１１ａが筐体３の小穴３ａに進入した状態でのフック１１の掛けられたゴルフピン１７の中心１７ａと筐体３の基準面３ｄ間の距離である。本例では基準値は零である。このリセットボタンＳＷ１があるので仮に滑車５と線材２との間に滑りが生じても誤差が累積することがない。
【００３８】
ニアピンの場合、手で筐体３を握り、フック１１をゴルフピンに引っ掛け、筐体３を持ったままグリーン上にオンしたゴルフボールに向って移動すると、巻取りドラム４から線材２は引き出される。そのとき、巻取りドラム４、小歯車４ａは共に回転し、大歯車１５を回転させる。大歯車１５はばね掛けピン１４を介して拡径方向に常時付勢されているぜんまいばね１３を締め込む。これにより、巻取りドラム４から引き出される線材２は張力が生じている。従って、制動部材７から滑車５に巻き掛けられて巻取りドラム４に到る線材２は張力がぜんまいばね１３のばね力により与えられている。
【００３９】
ニアピンとなったゴルフボール上に筐体３の基準面３ｄを合せる。上記のように筐体３から小穴３ｂを通じて筐体３外へ線材２が引き出される際に滑車５は回転し同時にエンコーダ６が回転して滑車５の回転角をパルス信号としてＣＰＵ８０に送る。
【００４０】
ＣＰＵ８０は滑車５の直径とエンコーダ６による滑車５の回転角から線材２の引き出し長さを線材２の引き出しにつれて演算してドライバ９ａを介して表示器９に線材２の引き出し長さを示す。
【００４１】
ここで、ゴルフ競技者は夫々、表示器９に示されたにニアピン距離を確認する。このときに、ホルドスイッチＳＷ２を押すＳＰＵ８０は表示器９の表示を固定すると共にメモリ８１はその時の値を記憶する。
【００４２】
次に、フック１１をゴルフピンから外すと、ぜんまいばねの緩む方向のばね力で大歯車１５は図４において時計回りに回転し、小歯車４ａを反時計回りに回転し、巻取りドラム４は線材２を巻き取る。このとき、制動部材７は線材２を圧しているので制動部材７と滑車５間、滑車５と巻取りドラム４間に張設した状態の線材２は緩まない。そして、線材２の滑車５への巻き掛け状態は緩みなく保持される。また、線材２の引き込みの速度は制動部材７で制限される。
【００４３】
滑車５の回転によりエンコーダ６を介してＣＰＵ８０へ伝えられる信号により、線材２の筐体３内への引込み量が計算されて順次線材２の引き出し長さの減少につれて減算を行い、現在引き出し長さを表示器９に表示する。
【００４４】
同様にして他のニアピンの距離を計測して比較する。
【００４５】
この実施例では巻取りドラムとぜんまいばねとの間に一対の歯車対を介在したが歯車対は歯車列でもよく遊星歯車でもって巻取りドラム軸とぜんまいばねの中心軸を同一中心線上においてもよい。要するに、巻取りドラムの回転する総数よりもぜんまいばねの巻き込みのための少ない回転総数に対する回転数比が得られればよい。
【００４６】
線材２が巻き切られる際、フック１１は凹部３ｉに入る。凹部３ｉにフック１１に入る際、フック１１の外周が凹部３ｉの縁３ｊの楕円の長径に一致していると、フック１１はそのまま凹部３ｉに入るが、フック１１の外周が凹部３ｉの縁３ｊの楕円の長径と一致しないときはフック１１の外周は凹部３ｉの縁３ｊに通常は斜めに当るので、線材２が引き込まれると、線材２の延長線上を中心としてフック１１は凹部３ｉの縁３ｊに導かれて凹部３ｉの縁３ｊの長径側に回動し、更に線材２に引き込まれると図３の２点鎖線に示すように凹部３ｉに収納される。
【００４７】
（実施例２）
この実施例２はぜんまいばねにより巻取りドラムに回転力を与えるのに代えて、巻取りドラムに外部から回転力を加えるものである。
【００４８】
図６は実施例２を示す。筐体３にはドラム軸２１が回転自在に支持されている。ドラム軸２１は一端側が軸受３ｅに支持され、他端側が筐体３の軸受穴３ｆに支持されている。ドラム軸２１は軸受穴３ｆを貫通して筐体３の外部に突出した工具柄２１ａにハンドル２２の根本が嵌合している。ハンドル２２はハンドル柄２２ａの先端部にピン２２ｂで枢着された握り２２ｃを有する。ドラム軸２１には一方向クラッチ２３を介して巻取りドラム４が支持されている。巻取りドラム４の側面４ｃと筐体３の側部材３ｇとの間には皿ばね２４が挿入されている。皿ばね２４の中心穴は軸受３ｅの外周の小径部３ｅ１に嵌合している。巻取りドラム４は図６において常に右方へ皿ばね２４により付勢されており、巻取りドラム４と皿ばね２４並びに筐体３のボス端３ｈとの間に摩擦力が働いている。
【００４９】
線材２を巻き取る方向にハンドル２２を回転すると一方向クラッチ２３を介して巻取りドラム４が駆動され線材２が巻取りドラム４に巻き取られる。線材２を筐体３から引き出すときは、巻取りドラム４は一方向クラッチ２３があるのでドラム軸２１上で空転するのでハンドル２２は回転しない。
【００５０】
ピン２２ｂを中心に握り２２ｃを回動すると、握り２２ｃは収納される。
【００５１】
なお、上記においてハンドル２２とドラム軸２１間に歯車列を介在させてハンドル２２の一回転に対して巻取りドラム４を複数回回転するようにしてもよい。
【図面の簡単な説明】
【００５２】
【図１】実施例の側面図である。
【図２】実施例の側面図である。
【図３】実施例１の図２の紙面に平行な平面で切る縦断面図である。
【図４】図３の紙面の手前側の縦断面図である。
【図５】演算装置のブロック図である。
【図６】実施例２の巻取りドラム軸心を含む縦断面図である。
【図７】筐体の端面図である。
【符号の説明】
【００５３】
１…ニアピンメジャー
２…線材  ２ａ…一端  
３…筐体  ３ａ…スリット  ３ｂ…小穴  ３ｃ…穴  ３ｄ…基準面  ３ｅ…軸受  ３ｅ１…小径部  ３ｆ…軸受穴  ３ｇ…側部材  ３ｈ…ボス端  ３ｉ…凹部  ３ｊ…縁
４…巻取りドラム  ４ａ…小歯車  ４ｃ…側面
５…滑車
６…エンコーダ  ６ａ…回転軸
７…制動部材  ７ａ…シュー  ７ｂ…板ばね
８…演算装置
９…表示器  ９ａ…ドライバ
１１…フック
１２…固定軸
１３…ぜんまいばね
１４…ばね掛けピン
１５…大歯車
１６…固定軸
１７…ゴルフピン  １７ａ…中心
２１…ドラム軸  ２１ａ…工具柄
２２…ハンドル  ２２ａ…ハンドル柄  ２２ｂ…ピン  ２２ｃ…握り
２３…クラッチ
２４…皿ばね
８０…ＣＰＵ
８１…メモリ
ｄ…距離
Ｄ…フックの外径
ＳＷ１，ＳＷ２，ＳＷ３…制御スイッチ
Ｗ…幅
【図１】
0003142379.tif 000003
【図２】
0003142379.tif 000004
【図３】
0003142379.tif 000005
【図４】
0003142379.tif 000006
【図５】
0003142379.tif 000007
【図６】
0003142379.tif 000008
【図７】
0003142379.tif 000009